(57)【要約】【課題】発光素子が実装された基板と電源回路が実装された基板との間の位置ずれによって導電不良が発生するのを抑制することの可能な照明装置を提供する。【解決手段】本発明の照明装置は、ＬＥＤ３１が実装されたＬＥＤ基板３であって、移動可能に設けられたＬＥＤ基板３と、ＬＥＤ３１を駆動するための電源回路５１が実装された電源基板５と、ＬＥＤ３１と電源回路５１とを電気的に接続する接続部６であって、ＬＥＤ基板３及び電源基板５の各々に取り付けられた接続部６と、ＬＥＤ基板３と電源基板５との間隔を所定範囲に規制する規制部７と、を備える。【選択図】図５
2018186023.tif 000002
【特許請求の範囲】
【請求項１】
発光素子が実装された第１基板であって、移動可能に設けられた第１基板と、
前記発光素子を駆動するための電源回路が実装された第２基板と、
前記発光素子と前記電源回路とを電気的に接続する接続部であって、前記第１基板及び前記第２基板の各々に取り付けられた接続部と、
前記第１基板と前記第２基板との間隔を所定範囲に規制する規制部と、
を備える照明装置。
【請求項２】
前記規制部は、前記第１基板と前記第２基板との間に介在するように設けられている、請求項１に記載の照明装置。
【請求項３】
前記規制部は、前記電源回路が前記第２基板の第１表面に実装されている場合に、前記第１基板の側面のうち前記第２基板側の側面と、前記第１基板の表面のうち前記第１表面側の表面の前記第２基板側と、を覆うように形成されている、請求項２に記載の照明装置。
【請求項４】
前記第１基板及び前記第２基板の少なくとも一方には、前記規制部と係合する係合部が設けられている、請求項２又は３に記載の照明装置。
【請求項５】
前記規制部は弾性を有する、請求項１〜４の何れかに記載の照明装置。
【請求項６】
前記規制部は屈曲部を有する、請求項５に記載の照明装置。
【請求項７】
前記規制部は絶縁性を有する、請求項１〜６の何れかに記載の照明装置。
【請求項８】
前記規制部は、前記電源回路が前記第２基板の第１表面に実装されている場合に、前記第１表面の裏側の第２表面を覆うように形成されている、請求項７に記載の照明装置。
【発明の詳細な説明】
【技術分野】
【０００１】
本発明は、発光素子が実装された基板を備える照明装置に関する。
【背景技術】
【０００２】
近年、例えば発光ダイオード（ＬＥＤ：Light Emitting Diode）等の発光素子を光源として用いる、低消費電力で長寿命な照明装置が普及している。かかる照明装置は、基本的には、複数の発光素子が所定の間隔をおいて実装された基板を照明装置本体に格納する構成となっている。
【０００３】
従来の照明装置では、基板に実装された発光素子の発光によって当該基板が熱膨張したときの影響を抑えるために、例えば特許文献１に記載されているように、発光素子が実装された基板を、当該発光素子を駆動するための電源回路が実装された基板から間隔をおいて移動可能に設けた構成を有しており、発光素子と電源回路とを電気的に接続するためのリード線が、例えば半田付け等によって各基板に取り付けられるようになっている。
【先行技術文献】
【特許文献】
【０００４】
【特許文献１】国際公開第２０１４／０４９９５２号
【発明の概要】
【発明が解決しようとする課題】
【０００５】
従来の照明装置では、発光素子が実装された基板が移動可能に設けられているので、例えば照明装置の輸送時に生じた振動等によって当該基板が、電源回路を実装する基板と離れる方向又は近づく方向に移動（位置ずれ）した場合には、当該基板の移動によってリード線が切断したり、何れかの基板からリード線が外れる等して導電不良が発生する虞があった。
【０００６】
本発明は、上記課題に鑑みてなされたものであり、発光素子が実装された基板と電源回路が実装された基板との間の位置ずれによって導電不良が発生するのを抑制することの可能な照明装置を提供することを目的とする。
【課題を解決するための手段】
【０００７】
上記目的を達成するために、本発明は、発光素子が実装された第１基板であって、移動可能に設けられた第１基板と、前記発光素子を駆動するための電源回路が実装された第２基板と、前記発光素子と前記電源回路とを電気的に接続する接続部であって、前記第１基板及び前記第２基板の各々に取り付けられた接続部と、前記第１基板と前記第２基板との間隔を所定範囲に規制する規制部と、を備える照明装置を提供する（発明１）。
【０００８】
上記発明（発明１）によれば、第１基板と第２基板との間隔が規制部によって所定範囲に規制されるので、例えば、第１基板が第２基板と離れる方向又は近づく方向に移動した場合であっても、第１基板の移動範囲を、例えば接続部が切断したり、何れかの基板から接続部が外れたりすること等の無い範囲に制限することができる。したがって、発光素子が実装された基板と電源回路が実装された基板との間の位置ずれによって導電不良が発生するのを抑制することができる。
【０００９】
上記発明（発明１）において、前記規制部は、前記第１基板と前記第２基板との間に介在するように設けられてもよい（発明２）。
【００１０】
上記発明（発明２）によれば、第１基板と第２基板との間に規制部が介在しているので、例えば、第１基板が第２基板に近づく方向に移動した場合に、第１基板と第２基板との間隔が所定範囲の最小値未満になるのを容易に抑制することができる。
【００１１】
上記発明（発明２）において、前記規制部は、前記電源回路が前記第２基板の第１表面に実装されている場合に、前記第１基板の側面のうち前記第２基板側の側面と、前記第１基板の表面のうち前記第１表面側の表面の前記第２基板側と、を覆うように形成されてもよい（発明３）。
【００１２】
上記発明（発明３）によれば、第１基板の側面のうち第２基板側の側面と、第１基板の表面のうち第１表面側の表面の第２基板側と、が規制部によって覆われているので、例えば、第１基板が第２基板に近づく方向に移動した場合であっても、第１基板が規制部を乗り越えて電源回路に接触するのを規制部によって確実に規制することができる。これにより、例えば、第１基板が電源回路に衝突して電源回路が破損等することを抑制することができる。例えば、規制部が電源回路、発光素子又は接続部等の導電体に接触することによって短絡等が発生するのを抑制することができる。
【００１３】
上記発明（発明２〜３）において、前記第１基板及び前記第２基板の少なくとも一方には、前記規制部と係合する係合部が設けられてもよい（発明４）。
【００１４】
上記発明（発明４）によれば、規制部が係合部に係合することによって、規制部が第１基板及び／又は第２基板から簡単に外れるのを抑制することができる。
【００１５】
上記発明（発明１〜４）において、前記規制部は弾性を有してもよい（発明５）。
【００１６】
上記発明（発明５）によれば、例えば、第１基板の移動に伴って規制部が弾性変形した後に第１基板の移動が停止すると、当該規制部の弾性変形が復元することによって第１基板を移動開始位置側に戻すことができる。
【００１７】
上記発明（発明５）において、前記規制部は屈曲部を有してもよい（発明６）。
【００１８】
上記発明（発明６）によれば、例えば、屈曲部の弾性変形に基づいて規制部が伸縮することによって、第１基板と第２基板との間隔を適切な範囲に容易に規制することができる。また、例えば、規制部が第１基板又は第２基板に接触して衝撃を受けた場合であっても、当該衝撃を屈曲部にて緩和することができる。
【００１９】
上記発明（発明１〜６）において、前記規制部は絶縁性を有してもよい（発明７）。
【００２０】
上記発明（発明７）によれば、例えば、規制部が電源回路、発光素子又は接続部等の導電体に接触することによって短絡等が発生するのを抑制することができる。
【００２１】
上記発明（発明７）において、前記電源回路が前記第２基板の第１表面に実装されている場合に、前記第１表面の裏側の第２表面を覆うように形成されてもよい（発明８）。
【００２２】
上記発明（発明８）によれば、例えば、電源回路を構成する部品の端子が第２表面から突出している場合には、当該端子に導電性物質等が付着することによって短絡等が発生するのを抑制することができる。
【発明の効果】
【００２３】
本発明の照明装置によれば、発光素子が搭載された基板と電源回路が搭載された基板との間の位置ずれによって導電不良が発生するのを抑制することができる。
【図面の簡単な説明】
【００２４】
【図１】本発明の一実施形態に係る照明装置の概略構成図である。
【図２】照明装置の分解斜視図である。
【図３】ＬＥＤ基板及び電源基板に対する規制部の取り付け方法の一例を説明するための図である。
【図４】規制部をＬＥＤ基板及び電源基板に取り付けたときの平面図である。
【図５】（ａ）は、ＬＥＤ基板と電源基板との間隔が最大の状態の一例を説明するための図であり、（ｂ）は、ＬＥＤ基板と電源基板との間隔が最小の状態の一例を説明するための図である。
【図６】係合部の変形例を説明する図である。
【発明を実施するための形態】
【００２５】
図１〜図５を参照して、本発明の一実施形態に係る照明装置１００の構成について説明する。
【００２６】
本実施形態に係る照明装置１００は、直管形状を有しており、一般の照明用として室内又は屋外で用いられるように構成されている。また、照明装置１００は、照明器具（図示省略）のソケットに装着して使用するように構成されており、図１に示すように、カバー部材１と、２つのエンド部材２とを備えている。さらに、照明装置１００は、図２に示すように、ＬＥＤ基板３と、ヒートシンク４と、電源基板５と、接続部６と、規制部７と、をカバー部材１の内側に備えている。なお、ＬＥＤ基板３は本発明の「第１基板」の一例であり、電源基板５は本発明の「第２基板」の一例である。さらに、ＬＥＤ基板３の表面に実装された複数のＬＥＤ３１（図３に示す）は、本発明の「発光素子」の一例である。
【００２７】
カバー部材１は、図２に示すように、ＬＥＤ基板３と、ヒートシンク４と、電源基板５と、接続部６と、規制部７等とを内包するように構成されている。また、カバー部材１は、管軸方向（図中Ｘ方向）に直線状に延びる円筒形（つまり、直管形状）に形成されている。さらに、カバー部材１は、拡散カバー１１と、裏面カバー１２と、を含む。
【００２８】
拡散カバー１１は、複数のＬＥＤ３１からの光を拡散させて外部に照射するように構成されている。ここで、拡散カバー１１は、例えばポリカーボネート等の光拡散性を有する樹脂により形成されていてもよい。また、拡散カバー１１は、ＬＥＤ３１の光が照射される側（図２において上方側）に配置されている。
【００２９】
裏面カバー１２は、ＬＥＤ３１の光が照射される側と反対側（図２において下方側）に配置されている。裏面カバー１２は、例えば、内部が見えないように着色された不透明の樹脂により形成されていてもよい。また、裏面カバー１２は、図２に示すように、カバー部材１の管軸方向（図中Ｘ方向）に延びる一対のリブ１２１を有している。一対のリブ１２１は、ヒートシンク４のＺ方向の位置決めをするように構成されている。つまり、一対のリブ１２１と、裏面カバー１２の内面とによりヒートシンク４が挟み込まれるようにして、ヒートシンク４のＺ方向の位置決めが行われるように構成されている。
【００３０】
エンド部材２は、図１及び図２に示すように、カバー部材１の管軸方向（図中Ｘ方向）の両端にカバー部材１を覆うように取り付けられて固定されている。また、エンド部材２には一対の端子２１が設けられている。端子２１は、照明装置１００を取り付ける照明器具のソケットの端子（図示省略）を介して電力が供給されるように構成されている。また、端子２１は、接続ケーブル（図示省略）を介して、電源基板５に接続されている。
【００３１】
ＬＥＤ基板３は、図２に示すように、カバー部材１の管軸方向（図中Ｘ方向）に沿って電源基板５と直列に（すなわち、各基板３，５の主表面が同一平面を形成するように各基板３，５の側面同士が対向して）配列されている。ここで、主表面とは、表面のうち面積の大きい主要な表面をいう。
【００３２】
ＬＥＤ基板３には、図３に示すように、複数のＬＥＤ３１がＬＥＤ基板３の長手方向（図中Ｘ方向）に沿って所定の間隔をおいて設けられている。また、複数のＬＥＤ３１は、ＬＥＤ基板３の長手方向（図中Ｘ方向）に沿ってＬＥＤ基板３の短手方向（図中Ｙ方向）に複数列（例えば２列）に並列するように、ＬＥＤ基板３に配置されてもよい。
【００３３】
また、ＬＥＤ基板３には、図３及び図４に示すように、規制部７の屈曲部７１（後述する）と係合する孔状の係合部３２が設けられている。規制部７の屈曲部７１が係合部３２に係合することによって、規制部７がＬＥＤ基板３から簡単に外れるのを抑制することができる。なお、本実施形態では、係合部３２が、ＬＥＤ基板３の上面及び下面を連通する孔によって構成されている場合を一例として説明しているが、この場合に限られない。係合部３２は、例えば、ＬＥＤ基板３の電源基板５側の側面と、ＬＥＤ基板３の上面及び下面の何れかと、を連通する孔によって構成されてもよい。
【００３４】
なお、複数のＬＥＤ３１の発光面側（図２において上方側）は、蛍光体（図示省略）により覆われていてもよい。ここで、蛍光体は、ＬＥＤ３１から照射される光により励起されて、所定の色の光を発光するように構成されていてもよい。また、蛍光体は、ＬＥＤ３１からの直接光及び蛍光体から発光される光を合せた光が所定の色温度になるように、その成分が調整されていてもよい。蛍光体は、ＬＥＤ基板３の短手方向（図中Ｙ方向）に所定の幅を有し、且つ、ＬＥＤ基板３の長手方向（図中Ｘ方向）に延びる形状を有していてもよい。さらに、蛍光体は、複数のＬＥＤ３１を覆うように、ＬＥＤ基板３の上方側に塗布されていてもよい。
【００３５】
ヒートシンク４は、ＬＥＤ３１から発生する熱を放熱するように構成されている。ヒートシンク４は、基板設置面４１と、一対のリブ４２とを有しており、カバー部材１の管軸方向（図中Ｘ方向）に延びる中空形状に形成されている。また、ヒートシンク４は、断面が略半円形状に形成されており、カバー部材１の内部に挿入されるように構成されている。具体的には、ヒートシンク４は、カバー部材１の裏面カバー１２の一対のリブ１２１によりＺ方向が位置決めされて、カバー部材１の内部に挿入されている。ヒートシンク４は、例えばアルミニウムにより形成されていてもよい。
【００３６】
一対のリブ４２は、カバー部材１の管軸方向（図中Ｘ方向）に延びるように形成されている。また、一対のリブ４２は、ＬＥＤ基板３の厚みより小さい高さで上方（図２において上方）に突出するように形成されている。ここで、ＬＥＤ基板３は、一対のリブ４２によってＹ方向の位置決めが行われた状態で基板設置面４１に配置され、ヒートシンク４の基板設置面４１上を、カバー部材１の管軸方向（図中Ｘ方向）に沿って移動可能になっている。
【００３７】
電源基板５は、図３に示すように、外部から供給される交流の電力をＬＥＤ３１の駆動用の直流の電力に変換することによってＬＥＤ３１を駆動するための電源回路５１を上面（図３において上側の面）に備えるように構成されている。ここで、電源基板５の上面は、本発明の「第１表面」の一例である。電源基板５は、ＬＥＤ基板３の長手方向（図中Ｘ方向）の外側に配置されており、接続ケーブル（図示省略）を介して端子２１に接続されている。また、電源基板５は、接続部６を介してＬＥＤ基板３に接続されている。さらに、電源基板５は、エンド部材２で覆われた部分のカバー部材１の内側に配置されている。これにより、電源基板５を外部から見えにくくすることが可能である。さらにまた、電源基板５には、ＬＥＤ３１の点灯を制御するための制御回路（図示省略）が設けられている。
【００３８】
電源回路５１を構成する複数の部品５１１，５１２，５１３は、電源基板５に形成された配線パターン（図示省略）によって電気的に接続されている。各部品５１１，５１２，５１３は、例えば、抵抗、コンデンサ、コイル、ダイオード、トランジスタ等であってよい。また、各部品５１１，５１２，５１３は、それぞれの端子５１１ａ，５１２ａ，５１３ａが電源基板５の下面（図３において下側の面）から下方に突出するように、例えば半田付け等によって電源基板５に取り付けられている。ここで、電源基板５の下面は、電源基板５の上面（第１表面）の裏側の面であって、本発明の「第２表面」の一例である。
【００３９】
接続部６は、例えばリード線やリード端子等であって、ＬＥＤ３１と電源回路５１とを電気的に接続するために、例えば半田付け等によってＬＥＤ基板３及び電源基板５の各々の上面（図３において上側の面）に取り付けられている。接続部６の長さは、例えば各基板３，５の管軸方向（図中Ｘ方向）の間隔ｘ（図４に示す）の許容範囲（例えば接続部６が切断したり、何れかの基板３，５から接続部６が外れたりすること等の無い範囲）等に応じて適宜設定されてもよい。
【００４０】
規制部７は、ＬＥＤ基板３と電源基板５との管軸方向（図中Ｘ方向）の間隔ｘを許容範囲（所定範囲）に規制するものであって、本実施形態では、図３に示すように、電源基板５の下面側に設けられるように構成されている。本実施形態において、規制部７は、絶縁性を有している。規制部７が絶縁性を有することによって、例えば、規制部７が電源回路５１、ＬＥＤ３１又は接続部６等の導電体に接触することによって短絡等が発生するのを抑制することができる。
【００４１】
また、本実施形態において、規制部７は、弾性を有している。この場合、例えば、ＬＥＤ基板３の移動に伴って規制部７が弾性変形した後にＬＥＤ基板３の移動が停止すると、規制部７の弾性変形が復元することによってＬＥＤ基板３を移動開始位置側に戻すことができる。
【００４２】
ここで、規制部７を構成する材料としては、例えば、ポリエチレンテレフタレートやポリカーボネート等の樹脂が挙げられるが、ポリカーボネートを用いて規制部７を構成した場合には、薄型の規制部７を形成することができる。
【００４３】
規制部７は、例えばポリカーボネートから構成されたシート状部材を、図２に示すように、上面がコ字形状となるように折り曲げることによって形成されており、電源基板５の下面を覆うように電源基板５に取り付けられる。この場合、電源回路５１の各部品５１１，５１２，５１３の端子５１１ａ，５１２ａ，５１３ａは、規制部７によって、電源基板５の長手方向（図中Ｘ方向）の外側及び短手方向（図中Ｙ方向）から覆われるので、電源回路５１を構成する各部品５１１，５１２，５１３の端子５１１ａ，５１２ａ，５１３ａに導電性物質等が付着することによって短絡等が発生するのを抑制することができる。
【００４４】
規制部７の長手方向（図中Ｘ方向）のＬＥＤ基板３側には、上下方向（図中Ｚ方向）に屈曲しながらＬＥＤ基板３側に延在する屈曲部７１が設けられている。この場合、例えば、屈曲部７１の弾性変形に基づいて規制部７が伸縮することによって、ＬＥＤ基板３と電源基板５との間隔ｘを適切な範囲に容易に規制することができる。また、例えば、規制部７がＬＥＤ基板３又は電源基板５に接触して衝撃を受けた場合であっても、当該衝撃を屈曲部７１にて緩和することができる。
【００４５】
本実施形態において、屈曲部７１（規制部７）は、ＬＥＤ基板３と電源基板５との間に介在するように設けられている。この場合、例えば、ＬＥＤ基板３が電源基板５に近づく方向に移動した場合に、ＬＥＤ基板３と電源基板５との間隔ｘが許容範囲の最小値ｘ２（図５（ｂ）に示す）未満になるのを容易に抑制することができる。また、屈曲部７１のＬＥＤ基板３側の端部は、ＬＥＤ基板３の上方からＬＥＤ基板３の係合部３２に係合して、例えば接着剤やネジ等を用いてＬＥＤ基板３の下面（図３において下側の面）に取り付けられる。
【００４６】
また、屈曲部７１（規制部７）は、図４及び図５に示すように、ＬＥＤ基板３の電源基板５側の側面と、ＬＥＤ基板３の上面（電源基板５の上面（第１表面）側の表面）の電源基板５側と、を覆うように形成されている。この場合、例えば、ＬＥＤ基板３が電源基板５に近づく方向に移動した場合であっても、ＬＥＤ基板３が屈曲部７１（規制部７）を乗り越えて電源回路５１に接触するのを屈曲部７１（規制部７）によって確実に規制することができる。これにより、例えば、ＬＥＤ基板３が電源回路５１に衝突して電源回路５１が破損等することを抑制することができる。
【００４７】
なお、屈曲部７１の屈曲数は任意に設定され得るが、屈曲数が多くなるほど、規制部７の衝撃吸収力を高めることができる。
【００４８】
以上のように構成された照明装置１００において、ＬＥＤ基板３が長手方向（図中Ｘ方向）に沿って移動する場合の一例を図５を参照して説明する。先ず、図５（ａ）に示すように、ＬＥＤ基板３が電源基板５から離れる方向に移動した場合には、規制部７の屈曲部７１は、各基板３，５の間隔ｘが許容範囲の最大値ｘ１に達するまで弾性変形する。そして、各基板３，５の間隔ｘが許容範囲の最大値ｘ１に達すると、電源基板５から離れる方向へのＬＥＤ基板３の移動が規制される。ここで、電源基板５から離れる方向へのＬＥＤ基板３の移動が停止した場合には、屈曲部７１の弾性変形が復元することによって、ＬＥＤ基板３が移動開始位置まで戻される。
【００４９】
次に、図５（ｂ）に示すように、ＬＥＤ基板３が電源基板５に近づく方向に移動した場合には、規制部７の屈曲部７１は、各基板３，５の間隔ｘが許容範囲の最小値ｘ２に達するまで弾性変形する。そして、各基板３，５の間隔ｘが許容範囲の最小値ｘ２に達すると、電源基板５に近づく方向へのＬＥＤ基板３の移動が規制される。ここで、電源基板５に近づく方向へのＬＥＤ基板３の移動が停止した場合には、屈曲部７１の弾性変形が復元することによって、ＬＥＤ基板３が移動開始位置まで戻される。
【００５０】
以上説明したように、本実施形態に係る照明装置１００によれば、ＬＥＤ基板３と電源基板５との間隔ｘが規制部７によって許容範囲（ここではｘ２以上ｘ１以下）に規制されるので、例えば、ＬＥＤ基板３が電源基板５と離れる方向又は近づく方向に移動した場合であっても、ＬＥＤ基板３の移動範囲を、例えば接続部６が切断したり、何れかの基板３，５から接続部６が外れたりすること等の無い範囲に制限することができる。したがって、ＬＥＤ基板３と電源基板５との間の位置ずれによって導電不良が発生するのを抑制することができる。
【００５１】
以下、上述した実施形態の変形例について説明する。
【００５２】
（変形例１）
上述した実施形態では、規制部７が電源基板５に設けられる場合を一例として説明したが、この場合に限られない。例えば、規制部７は、ＬＥＤ基板３に設けられてもよいし、各基板３，５に設けられてもよいし、各基板３，５と別個に設けられてもよい。この場合においても、上述した実施形態と同様に、ＬＥＤ基板３と電源基板５との間の位置ずれによって導電不良が発生するのを抑制することができる。
【００５３】
（変形例２）
上述した実施形態では、規制部７が、各基板３，５の厚さ方向（図中Ｚ方向）に屈曲する屈曲部７１を有する場合を一例として説明したが、この場合に限られない。例えば、規制部７は、各基板３，５の短手方向（図中Ｙ方向）に屈曲する屈曲部を有してもよい。この場合においても、上述した実施形態と同様に、屈曲部の弾性変形に基づいて、ＬＥＤ基板３と電源基板５との間隔ｘを適切な範囲に容易に規制することができる。また、例えば、規制部７がＬＥＤ基板３又は電源基板５に接触して衝撃を受けた場合であっても、当該衝撃を屈曲部にて緩和することができる。
【００５４】
（変形例３）
上述した実施形態では、規制部７が弾性を有する場合を一例として説明したが、この場合に限られない。例えば、規制部７は、ＬＥＤ基板３を移動可能に支持する支持部を有しており、当該支持部の移動を許容範囲に規制することによって、ＬＥＤ基板３の移動範囲を規制してもよい。この場合においても、上述した実施形態と同様に、ＬＥＤ基板３と電源基板５との間の位置ずれによって導電不良が発生するのを抑制することができる。
【００５５】
（変形例４）
上述した実施形態では、係合部３２がＬＥＤ基板３に設けられている場合を一例として説明したが、この場合に限られない。例えば、係合部３２は、電源基板５に設けられてもよいし、各基板３，５に設けられてもよい。この場合においても、上述した実施形態と同様に、規制部７が係合部３２に係合することによって、規制部７がＬＥＤ基板３及び／又は電源基板５から簡単に外れるのを抑制することができる。
【００５６】
（変形例５）
上述した実施形態では、係合部３２が孔状に形成されている場合を一例として説明したが、この場合に限られない。例えば、係合部３２は、図６に示すように、ＬＥＤ基板３の電源基板５側の側面において凹状に形成されてもよい。この場合、ＬＥＤ基板３と電源基板５との間隔ｘの許容範囲の最小値を、例えば凹状の係合部３２が設けられていない場合と比較して、規制部７と係合部３２との係合距離Ｄだけ小さくすることができる。これにより、ＬＥＤ基板３と電源基板５との間隔ｘを小さく設定することができるので、照明装置１００を省スペース化することができる。
【００５７】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５８】
本実施形態においては、１つのＬＥＤ基板３を設けた場合を一例として説明したが、これに限られるものではない。例えば、ＬＥＤ基板は、照明装置１００の寸法や用途等に応じて複数設けられていてもよい。
【００５９】
また、本実施形態においては、照明装置１００が直管形状に形成されている場合を一例として説明したが、これに限られるものではなく、例えば環状に形成されていてもよいし、板状に形成されていてもよい。
【符号の説明】
【００６０】
３…ＬＥＤ基板
３１…ＬＥＤ
３２…係合部
５…電源基板
５１…電源回路
５１１，５１２，５１３…部品
５１１ａ，５１２ａ，５１３ａ…端子
６…接続部
７…規制部
７１…屈曲部
１００…照明装置
【図１】
2018186023.tif 000003
【図２】
2018186023.tif 000004
【図３】
2018186023.tif 000005
【図４】
2018186023.tif 000006
【図５】
2018186023.tif 000007
【図６】
2018186023.tif 000008